(57)【要約】【課題】梱包処理によってアスベスト廃棄物を処理するに当たって、容積の減容化によって運搬や埋立処分の大幅な効率化を図るとともに、埋立後に圧力を受けてもアスベスト回収袋の破れを無くし、アスベスト繊維が土中又は空気中に飛散するおそれを無くす。【解決手段】アスベスト廃棄物を回収袋３に詰め、回収袋３内の空気を吸引することによって減容化を図る。或いは、アスベスト廃棄物を詰めた回収袋３を、少なくとも周囲が矩形状に囲まれた型枠１０内に収容し、上面側から荷重を掛けながら前記回収袋３内の空気を吸引することにより成型化する。そして、回収袋３に袋詰めされかつ減容化されたアスベスト廃棄物を、更に耐水性を有する外袋６で二重梱包する。【選択図】図２
2008132427.tif 000002
【特許請求の範囲】
【請求項１】
アスベスト廃棄物を回収袋に詰め、回収袋内の空気を吸引することによって減容化を図ることを特徴とするアスベスト廃棄物の処理方法。
【請求項２】
アスベスト廃棄物を詰めた回収袋を、少なくとも周囲が矩形状に囲まれた型枠内に収容し、上面側から荷重を掛けながら前記回収袋内の空気を吸引することにより成型化することを特徴とする請求項１記載のアスベスト廃棄物の処理方法。
【請求項３】
前記回収袋に袋詰めされかつ減容化されたアスベスト廃棄物を、複数纏めて大判の第２の回収袋に収容し、この第２の回収袋内の空気を吸引することにより同梱する請求項１，２いずれかに記載のアスベスト廃棄物の処理方法。
【請求項４】
前記回収袋に吸引のために複数の孔を開けておき、第２の回収袋内の空気を吸引する請求項３記載のアスベスト廃棄物の処理方法。
【請求項５】
回収袋に袋詰めされかつ減容化されたアスベスト廃棄物又はこれらの複数のアスベスト廃棄物を収容した前記第２の回収袋を、更に耐水性を有する材料で二重梱包する請求項１〜４いずれかに記載のアスベスト廃棄物の処理方法。
【請求項６】
回収袋に袋詰め、更に耐水性を有する材料で二重梱包されたアスベスト廃棄物を対象として、この二重梱包された１又は複数のアスベスト廃棄物を第２の回収袋内に収容するとともに、前記回収袋に吸引のために複数の孔を開けておき、前記回収袋及び第２の回収袋内の空気を吸引することによって減容化を図ることを特徴とするアスベスト廃棄物の処理方法。
【請求項７】
外部から隔離された吸引作業ゾーンを備えるとともに、吸引器具を搭載した作業車輌を予め用意しておき、前記アスベストが袋詰めされた回収袋または前記第２の回収袋からの空気吸引作業を前記作業車輌内で行う請求項１〜６いずれかに記載のアスベスト廃棄物の処理方法。
【請求項８】
外部から隔離された吸引作業ゾーンを備えるとともに、吸引器具を備えた吸引作業用ケーシング設備を予め用意しておき、前記アスベストが袋詰めされた回収袋または前記第２の回収袋からの空気吸引作業を前記吸引作業用ケーシング設備内で行う請求項１〜６いずれかに記載のアスベスト廃棄物の処理方法。
【請求項９】
前記吸引作業用ケーシング設備は、腕挿入孔が形成されるとともに、この腕挿入孔に連続して手袋状の腕挿入体が設けられ、かつ覗き窓が設けられている請求項８記載のアスベスト廃棄物の処理方法。
【請求項１０】
空気不透過性材料からなり、一辺に開口部が設けられるとともに、吸引機の吸引ノズルと接続可能かつ該吸引機の吸引により袋内の空気を吸引可能な吸引バルブが設けられていることを特徴とする請求項１〜９いずれかのアスベスト廃棄物処理方法のための回収袋。
【発明の詳細な説明】
【技術分野】
【０００１】
本発明は、建築物等で使用されているアスベスト（石綿）を減容化し、かつ安全に埋立処分を行うためのアスベスト廃棄物の処理方法及びそのための回収袋に関する。
【背景技術】
【０００２】
アスベストは、耐火性、耐水性に優れ、また吸音性、吸着性に富み、価格も廉価であることから、建築物の建設資材等を中心に広く利用された。
【０００３】
しかし、前記アスベストは天然鉱物繊維で非常に細かい繊維であるため、飛散し易く、この石綿繊維を人が吸入すると、その結晶構造が針状であるため排出され難く、長い潜伏期間の後、肺ガン、胸膜及び腹膜などの中皮腫などの症状を起こすことが明らかとなり、近年アスベストの解体・除去作業が急速に進められている。
【０００４】
解体されたアスベスト廃棄物の処理方法としては、廃棄物処理法或いは各自治体の指針によれば、耐水性を有する材料で二重梱包するか（以下、二重梱包処理ともいう。）、又は固形化した上で埋立処分を行うか、アスベストを無害化するための溶融処理を求めている。
【０００５】
前記固形化処理に関して、例えば下記特許文献１では、建造物の壁面に塗工されたアスベスト含有塗膜を剥離する工程と、該剥離したアスベスト含有塗膜片を空気輸送して集塵機により集塵する工程と、集塵物をセメントで固化する工程とを連続的に行うアスベスト塗膜の除去工法が提案されている。
【０００６】
また、無害化溶融処理に関して、例えば下記特許文献２では、集荷された廃アスベスト材を破砕機にかけて細かくし、これに接着機能を有する有機または無機材料あるいはその両方を添加して混練し、その混練物を加圧による造粒機に送ってペレット状に形成した後、このペレットを溶融炉に供給して溶融処理を行う方法が提案されている。また、下記特許文献３では、特別管理産業廃棄物の取扱い工場での作業工程から排出される廃石綿等を飛散防止処理をして、また建築物や車両の解体・改修工事に伴う石綿除去工事によって発生する廃石綿（吹付アスベスト）等を現場からプラスチック袋で二重に梱包して、廃棄物専用車両に積載し、中間処理場まで搬送する。中間処理場では着荷した廃石綿等を溶融炉（電気抵抗式溶融炉）内で１５００℃以上の炉温で溶融固化して、完全無害化し、こうして完全無害化された固化物を隣接する安定型の最終処分場に埋立てる埋立処分方法が提案されている。
【特許文献１】特開平１−１９８９６４号公報
【特許文献２】特開２０００−７９３８０号公報
【特許文献３】特開平１０−３３７５４７号公報
【発明の開示】
【発明が解決しようとする課題】
【０００７】
アスベスト廃棄物を溶融処理する場合は、無害化され安全管理がし易くなるばかりでなく、容積を減らすことが可能となるが、溶融処理費用がトン当たり３〜５万円程度掛かるため、現実にはそのほとんどが耐水性を有する材料で二重梱包するか、又は固形化した上での埋立処分を行う処理法が採られている。環境省が発表した平成１６年の実績を見ると、飛散性アスベスト廃棄物の排出量18,334tの内、溶融処理された量は僅かに1,314tである。
【０００８】
しかし、耐水性を有する材料で二重梱包した後、管理型最終処分場まで運搬し埋立処分を行う場合は、アスベスト廃棄物は回収袋（プラスチック製）に嵩比重で0.2〜0.35の嵩張った状態でしか詰め込むことができず、アスベストの運搬や最終処分場への埋立が非常に非効率な状況にあった。また、埋立した後に重機による転圧や土被り荷重によって、アスベスト回収袋が加圧され、内部空気の圧力によって破け、アスベスト繊維が土中又は空気中に飛散することが懸念されるなどの問題があった。
【０００９】
そこで本発明の主たる課題は、梱包処理によってアスベスト廃棄物を処理するに当たって、容積の減容化によって運搬や埋立処分の大幅な効率化を図るとともに、埋立後に圧力を受けてもアスベスト回収袋の破れを無くし、アスベスト繊維が土中又は空気中に飛散するおそれを無くしたアスベスト廃棄物の処理方法及びそのための回収袋を提供することにある。
【課題を解決するための手段】
【００１０】
前記課題を解決するために請求項１に係る本発明として、アスベスト廃棄物を回収袋に詰め、回収袋内の空気を吸引することによって減容化を図ることを特徴とするアスベスト廃棄物の処理方法が提供される。
【００１１】
上記請求項１記載の発明は、従来は回収袋に袋詰めされたアスベスト廃棄物がそのまま運搬され、埋立処理されていたものを、本発明ではアスベスト廃棄物を回収袋に詰めた後、回収袋内の空気を吸引することによって減容化を図るようにするものである。従って、減容化によって運搬効率が飛躍的に向上できるようになるとともに、埋立後の転圧や土被り荷重によって圧力を受けたとしても、内部空気の圧力によって回収袋は破れることが無くなり、アスベスト繊維が土中又は空気中に飛散するのを確実に防止できるようになる。前記減容化によって、埋立処分場の延命化にも資するようになる。
【００１２】
請求項２に係る本発明として、アスベスト廃棄物を詰めた回収袋を、少なくとも周囲が矩形状に囲まれた型枠内に収容し、上面側から荷重を掛けながら前記回収袋内の空気を吸引することにより成型化することを特徴とする請求項１記載のアスベスト廃棄物の処理方法が提供される。
【００１３】
上記請求項２記載の発明は、アスベスト廃棄物を詰めた回収袋を、少なくとも周囲が矩形状に囲まれた型枠内に収容し、上面側から荷重を掛けながら前記回収袋内の空気を吸引することにより成型化するものであり、立方体形状または座布団状に成型することにより、トラック運搬時に荷積みが効率的に行えるようになるとともに、埋立処理も効率的に行えるようになる。
【００１４】
請求項３に係る本発明として、前記回収袋に袋詰めされかつ減容化されたアスベスト廃棄物を、複数纏めて大判の第２の回収袋に収容し、この第２の回収袋内の空気を吸引することにより同梱する請求項１，２いずれかに記載のアスベスト廃棄物の処理方法が提供される。
【００１５】
上記請求項３記載の本発明は、回収袋に袋詰めされかつ減容化された複数のアスベスト廃棄物を大版の第２の回収袋に同梱することにより、運搬及び埋立処理の更なる効率化を図ったものである。
【００１６】
請求項４に係る本発明として、前記回収袋に吸引のために複数の孔を開けておき、第２の回収袋内の空気を吸引する請求項３記載のアスベスト廃棄物の処理方法が提供される。
【００１７】
上記請求項４記載の本発明は、回収袋に袋詰めされかつ減容化された複数のアスベスト廃棄物を大版の第２の回収袋に同梱し吸引する際に、回収袋に吸引のために複数の孔を開けることにより、二重吸引を行うようにしたものである。
【００１８】
請求項５に係る本発明として、回収袋に袋詰めされかつ減容化されたアスベスト廃棄物又はこれらの複数のアスベスト廃棄物を収容した前記第２の回収袋を、更に耐水性を有する材料で二重梱包する請求項１〜４いずれかに記載のアスベスト廃棄物の処理方法が提供される。
【００１９】
上記請求項５記載の発明は、環境省通達の処理基準に適合するように、回収袋に袋詰めされかつ減容化されたアスベスト廃棄物等を、更に耐水性を有する材料で二重梱包するものである。
【００２０】
請求項６に係る本発明として、回収袋に袋詰め、更に耐水性を有する材料で二重梱包されたアスベスト廃棄物を対象として、この二重梱包された１又は複数のアスベスト廃棄物を第２の回収袋内に収容するとともに、前記回収袋に吸引のために複数の孔を開けておき、前記回収袋及び第２の回収袋内の空気を吸引することによって減容化を図ることを特徴とするアスベスト廃棄物の処理方法が提供される。
【００２１】
上記請求項６記載の発明は、アスベスト除去現場から搬出された状態のアスベスト廃棄物、すなわち回収袋に袋詰め、更に耐水性を有する材料で二重梱包されたアスベスト廃棄物を対象として、この二重梱包された１又は複数のアスベスト廃棄物を第２の回収袋内に収容するとともに、前記回収袋に吸引のために複数の孔を開けておき、前記回収袋及び第２の回収袋内の空気を吸引することによって減容化を図るようにしたものである。アスベスト解体業者と、搬送及び埋立処理を行う業者とが異なる場合を考え、二重梱包されたアスベスト廃棄物を対象として本発明を適用するものである。
【００２２】
請求項７に係る本発明として、外部から隔離された吸引作業ゾーンを備えるとともに、吸引器具を搭載した作業車輌を予め用意しておき、前記アスベストが袋詰めされた回収袋または前記第２の回収袋からの空気吸引作業を前記作業車輌内で行う請求項１〜６いずれかに記載のアスベスト廃棄物の処理方法が提供される。
【００２３】
請求項８に係る本発明として、外部から隔離された吸引作業ゾーンを備えるとともに、吸引器具を備えた吸引作業用ケーシング設備を予め用意しておき、前記アスベストが袋詰めされた回収袋または前記第２の回収袋からの空気吸引作業を前記吸引作業用ケーシング設備内で行う請求項１〜６いずれかに記載のアスベスト廃棄物の処理方法が提供される。
【００２４】
請求項９に係る本発明として、前記吸引作業用ケーシング設備は、腕挿入孔が形成されるとともに、この腕挿入孔に連続して手袋状の腕挿入体が設けられ、かつ覗き窓が設けられている請求項８記載のアスベスト廃棄物の処理方法が提供される。
【００２５】
上記請求項７〜９記載の本発明は、アスベスト除去現場から搬出されたアスベスト回収袋又は第２の回収袋から空気吸引によって減容化する作業を、外部から隔離された吸引作業ゾーンを備えるとともに、吸引器具を搭載した作業車輌、或いは外部から隔離された吸引作業ゾーンを備えるとともに、吸引器具を備えた吸引作業用ケーシング設備で行うことにより作業の効率化を図るようにしたものである。
【００２６】
請求項１０に係る本発明として、空気不透過性材料からなり、一辺に開口部が設けられるとともに、吸引機の吸引ノズルと接続可能かつ該吸引機の吸引により袋内の空気を吸引可能な吸引バルブが設けられていることを特徴とする請求項１〜９いずれかのアスベスト廃棄物処理方法のための回収袋が提供される。
【発明の効果】
【００２７】
以上詳説のとおり本発明によれば、梱包処理によってアスベスト廃棄物を処理するに当たって、体積の減容化によって運搬や埋立処分の大幅な効率化を図ることが可能であるとともに、埋立後に圧力を受けてもアスベスト回収袋の破れが無くなるため、アスベスト繊維が土中又は空気中に飛散するのを確実に防止できるようになる。
【発明を実施するための最良の形態】
【００２８】
以下、本発明の実施の形態について図面を参照しながら詳述する。
【００２９】
本発明は、従来は回収袋に袋詰めされたままであったアスベスト廃棄物を、回収袋内の空気を吸引することによって減容化を図るようにしたものである。この減容化によって、運搬効率が飛躍的に向上できるようになるとともに、埋立後の転圧や土被り荷重によって圧力を受けたとしても、内部空気の圧力によって回収袋は破れることが無くなり、アスベスト繊維が土中又は空気中に飛散するのを確実に防止できるようになる。
【００３０】
（アスベスト除去作業）
図１に示されるように、アスベスト除去作業を行う作業現場１をプラスチックシート等で覆い、周辺から完全に隔離した空間を形成する。なお、出入口には、エアシャワー室や更衣室などを備えた前室（セキュリティゾーン）を設けるようにする。また、隔離した空間内には、ＨＥＰＡフィルタ付き換気装置を設置し、作業空間を常時負圧に保つようにする。
【００３１】
除去作業は、アスベストを薬剤等で湿潤化した後、ケレン棒などによりアスベストを掻き落とすようにして除去する。
【００３２】
（梱包作業）
図２に示されるように、先ず、除去されたアスベスト廃棄物２を回収し、回収袋３に詰め込む。回収袋３は、二重梱包処理の内、内側のアスベスト回収袋に相当するものであり、プラスチック材料等の空気不透過性材料からなり、一辺に開口部４が設けられるとともに、吸引機８の吸引ホース９と接続可能かつ該吸引機８の吸引により袋内の空気を吸引可能な吸引バルブ５が設けられているものを使用するのが望ましい。
【００３３】
前記回収袋３にある程度までアスベスト廃棄物２を詰め込んだら、開口部４を封止する。開口部４の封止は、空気が入り込まない構造であればよく、ＰＰバンド、テープ封止の他、溶融接着、接着剤による接合又は機械的接合（ジッパー）などの手段又はこれらの併用によって行うことができる。
【００３４】
次に、前記回収袋３に設けられた吸引バルブ５に、吸引機８の吸引ホース９の先端を接続し、吸引機８により回収袋３内の空気を吸引して、アスベスト廃棄物２を減容圧縮する。
【００３５】
最後に、耐水性を有する材料からなる外袋６で二重梱包する。前記外袋６は、アスベスト回収袋による二重梱包処理のうち、外側のアスベスト回収袋に相当するものである。
【００３６】
前記回収袋３及び外袋６は、積込み、荷降し等の作業条件を十分に考慮して、十分な強度特性をもったものが使用される。
【００３７】
以上のように、吸引による圧縮処理を行うことにより、嵩比重を大きくでき、運搬や埋立処分の大幅な効率化を図ることが可能となる。また、埋立後に重機による転圧や土被り荷重によって回収袋３及び外袋６が加圧されても、これらが破れることが無く、アスベスト繊維が土中又は空気中に飛散するおそれが無くなる。
【００３８】
また、トラック運搬時に荷積み、埋立処理が更に効率的に行えるように、前記アスベスト回収袋３の成型化を図るには、図３に示されるように、前記回収袋３内の空気を吸引機８によって吸引する際、アスベスト廃棄物を詰めた回収袋３を、少なくとも周囲が矩形状に囲まれた型枠１０内に収容し、載荷板１０ａによって回収袋３に上面側から荷重Ｐを掛けながら前記回収袋３内の空気を吸引するようにする。型枠１０で成型しながら減容化することにより、運搬時や埋立処分の際に、梱包状態のアスベスト廃棄物２を隙間無く積み重ねることが可能になる。加えて、圧縮荷重Ｐの負荷状態で吸引が行われるため、より高度な減容化が実現できる。
【００３９】
一方で、アスベスト廃棄物２，２…の積み卸しなどを効率化するには、図４に示されるように、梱包状態のアスベスト回収袋３を複数纏めて大判の第２の回収袋１１に収容し、この第２の回収袋１１を密封した後、第２の回収袋１１内の空気を吸引機８によって吸引するようにしてもよい。この際、前記アスベスト回収袋３に吸引のための穴を開けた状態で、第２の回収袋１１に収容し、空気除去を行うようにすれば、二重吸引により更なる減容化が図れるとともに、取扱いが容易となる。前記第２の回収袋１１は、耐水性を有する材料からなる外袋６で二重梱包する。
【００４０】
更には、除去されたアスベスト廃棄物２を回収し回収袋３に詰め込み、更に耐水性を有する材料からなる外袋６で二重梱包された未減容化状態で搬出されたアスベスト廃棄物を対象とする場合は、この二重梱包された１又は複数のアスベスト廃棄物２を第２の回収袋１１内に収容するとともに、前記回収袋３に吸引のために複数の孔を開けておき、前記回収袋３及び第２の回収袋１１内の空気を吸引して減容化を図ることも可能である。
【００４１】
前記回収袋３へのアスベスト袋詰め作業は、アスベスト除去現場で行われるが、回収袋３に袋詰めされた後、或いは第２の回収袋１１に収容された状態での減容化処理（吸引作業）は、アスベスト除去現場に持ち込み可能である、外部から隔離された吸引作業ゾーンを備えた移動式又は可搬式設備によって行うことも可能であるし、或いは例えば別の工場や倉庫内に設置された吸引作業ゾーン設備を設け、ここまで搬送した後に行うことも可能である。
【００４２】
前記移動式吸引作業ゾーン設備としては、例えば図５に示されるように、更衣室２３、エアシャワー室２２、吸引作業ゾーンＳ１、及び吸引器具８を搭載した吸引作業車輌２０とし、この吸引作業車輌２０内で前記アスベストが袋詰めされた回収袋３または前記第２の回収袋１１からの空気吸引作業を行うようにしても良い。
【００４３】
或いは図６に示されるように、開閉扉３４ａを有する外部から隔離された吸引作業ゾーンＳ１を備えるとともに、吸引器具８を備えた可搬式吸引作業用ケーシング設備３０とすることも可能である。この可搬式吸引作業用ケーシング設備３０は、詳細には吸引作業ゾーンＳ１を形成するケーシング部３４Ａと、吸引器具８を収容するケーシング部３４Ｂとからなり、前記ケーシング部３４Ａには、腕挿入孔３１、３１が形成されるとともに、この腕挿入孔３１、３１に連続して手袋状の腕挿入体３２、３２が設けられ、かつその上側部分に覗き窓３３が設けられている。かかる可搬式吸引作業用ケーシング設備３０では、前記開閉扉３４ａを空けてアスベストが袋詰めされた回収袋３を入れ、開閉扉３４ａを閉めて外部から隔離された吸引作業ゾーンＳ１とした後、腕挿入孔３１から腕を挿入し、吸引器具８からの吸引ホース９を回収袋３の吸引バルブ５に接続し、回収袋３から空気を吸引するようにする。
【００４４】
前記工場や倉庫内に設置される吸引作業ゾーン設備４０としては、図８に示されるように、鋼管や形材などの骨組部材４１、４１…及びプラスチックシート４２により作業員が入って吸引作業が可能な程度の閉鎖空間を作り、内部に集塵・排気装置４３を設置して作業空間内を負圧に保つようにした設備とすることができる。作業員は、閉鎖可能な膜扉４２ａから内部に入り、回収袋３又は第２の回収袋１１から空気の吸引除去作業を行う。
【図面の簡単な説明】
【００４５】
【図１】アスベスト除去作業現場を示す斜視図である。
【図２】本発明に係るアスベスト廃棄物の処理手順を示すフロー図である。
【図３】アスベスト廃棄物の成型化要領を示す、(A)は斜視図、(B)は縦断面図である。
【図４】アスベスト廃棄物の同梱要領を示す斜視図である。
【図５】吸引作業ゾーンＳ１設備を搭載した作業車輌２０の例を示す一部破断側面図である。
【図６】可搬式吸引作業用ケーシング設備３０の例を示す斜視図である。
【図７】その正面図（図６のVII−VII線矢視図）である。
【図８】吸引作業ゾーン設備４０の概略斜視図である。
【符号の説明】
【００４６】
１…アスベスト除去作業現場、２…アスベスト廃棄物、３…回収袋、４…開口部、５…吸引バルブ、６…外袋、８…吸引機、９…吸引ホース、１０…型枠、１１…第２の回収袋、２０…吸引作業車輌、３０…可搬式吸引作業用ケーシング設備、４０…吸引作業ゾーン設備
【図１】
2008132427.tif 000003
【図２】
2008132427.tif 000004
【図３】
2008132427.tif 000005
【図４】
2008132427.tif 000006
【図５】
2008132427.tif 000007
【図６】
2008132427.tif 000008
【図７】
2008132427.tif 000009
【図８】
2008132427.tif 000010